(57)【要約】【課題】組付け作業性を向上させること。【解決手段】ハウジング２０は、コネクタ挿抜方向に対する直交方向に組み付けられる第１ハウジング３０と第２ハウジング４０とを備え、第１ハウジングの複数の第１端子収容室２１と、第１端子収容室よりも第２ハウジング側で組付け完了状態の第１ハウジングと第２ハウジングとによって形成される複数の第２端子収容室２２と、を有し、第１端子収容室は、コネクタ挿抜方向における一端の開口であり、端子金具１０及び電線Ｗｅの端末を室内の収容完了位置まで収容させる際に用いる第１端子収容口２１ａを有し、第２端子収容室は、第１ハウジングに設けられた収容室本体２２Ａを有し、第２ハウジング側の開口２２ａを第２ハウジングの閉塞体４１で塞いで形成され、収容室本体は、第２ハウジング側の開口を、端子金具及び電線の端末を室内の収容完了位置まで収容させる際に用いる第２端子収容口２２ａをとして利用すること。【選択図】図１
2020202031.tif 000002
【特許請求の範囲】
【請求項１】
相手方コネクタの相手方端子金具に対して物理的且つ電気的に接続される端子金具と、
電線の端末に対して物理的且つ電気的に接続された前記端子金具を収容させるハウジングと、
を備え、
前記ハウジングは、前記相手方コネクタとの間のコネクタ挿抜方向に対する直交方向に沿って互いに組み付けられる第１ハウジングと第２ハウジングとを備え、かつ、前記端子金具を収容完了位置に収容させる端子収容室を前記端子金具毎に有し、
前記ハウジングは、前記端子収容室として、前記第１ハウジングに設けられ、前記コネクタ挿抜方向と前記第１ハウジング及び前記第２ハウジングの組付け方向とに対する直交方向に沿って配列された複数の第１端子収容室と、前記組付け方向における前記第１端子収容室よりも前記第２ハウジング側で組付け完了状態の前記第１ハウジングと前記第２ハウジングとによって形成され、前記コネクタ挿抜方向と前記組付け方向とに対する直交方向に沿って配列された複数の第２端子収容室と、を有し、
前記第１端子収容室は、前記コネクタ挿抜方向における一端の開口であり、接続状態の前記端子金具及び前記電線の端末を室内の前記収容完了位置まで収容させる際に用いる第１端子収容口を有し、
前記第２端子収容室は、前記第１ハウジングに設けられた収容室本体を有し、前記第１ハウジングと前記第２ハウジングとが組付け完了状態のときに、前記収容室本体における前記第２ハウジング側の開口を前記第２ハウジングの閉塞体で塞いで形成され、
前記収容室本体は、前記第２ハウジング側の前記開口であり、接続状態の前記端子金具及び前記電線の端末を室内の前記収容完了位置まで収容させる際に用いる第２端子収容口を有することを特徴としたコネクタ。
【請求項２】
前記第１端子収容室は、前記コネクタ挿抜方向における他端の開口であり、前記相手方端子金具を室内に挿入させる際に用いる第１端子挿入口と、室内の前記収容完了位置で前記第１ハウジングに対する前記端子金具の前記第１端子収容口側への相対移動を係止させる第１係止部と、を有し、
前記収容室本体は、前記コネクタ挿抜方向における一端の開口であり、前記電線を室内から室外に引き出させる電線引出口と、前記コネクタ挿抜方向における他端の開口であり、前記相手方端子金具を室内に挿入させる際に用いる第２端子挿入口と、室内の前記収容完了位置で前記第１ハウジングに対する前記端子金具の前記第２端子収容口側への相対移動を係止させる第２係止部と、を有し、
前記閉塞体には、前記第１ハウジングと前記第２ハウジングとが組付け完了状態のときに、前記収容室本体の室内の前記収容完了位置で前記第１ハウジングに対する前記端子金具の前記電線引出口側への相対移動を係止させる第３係止部を設けることを特徴とした請求項１に記載のコネクタ。
【請求項３】
前記第１ハウジングに対して相対移動自在に組み付けられる別部品であり、前記第１端子収容室の前記収容完了位置での前記端子金具の係止が不能な非係止位置と前記第１端子収容室の前記収容完了位置での前記端子金具の係止が可能な係止位置との間での前記第１ハウジングに対する前記組付け方向に沿った相対移動が可能な端子係止部品を備え、
前記端子係止部品は、前記係止位置のときに、前記第１端子収容室における前記収容完了位置の前記端子金具の前記第１端子収容口側に配置され、前記第１ハウジングに対する前記端子金具の前記第１端子収容口側への相対移動を係止させる第１端子係止部を有し、
前記第２ハウジングは、前記第１ハウジングに対する組付け完了状態のときに、前記第２端子収容室における前記収容完了位置の前記端子金具の前記電線引出口側に配置され、前記第１ハウジングに対する前記端子金具の前記電線引出口側への相対移動を係止させる第２端子係止部を有することを特徴とした請求項２に記載のコネクタ。
【請求項４】
前記第２ハウジングは、前記第１ハウジングへの組付け動作に連動して前記端子係止部品を前記非係止位置から前記係止位置へと押し動かす押動部を有することを特徴とした請求項３に記載のコネクタ。
【請求項５】
前記第１ハウジングと前記端子係止部品との間には、前記端子係止部品を前記非係止位置で前記第１ハウジングに仮保持させる仮保持機構を設けることを特徴とした請求項３又は４に記載のコネクタ。
【請求項６】
電線と、
相手方コネクタの相手方端子金具に対して物理的且つ電気的に接続される端子金具と、
前記電線の端末に対して物理的且つ電気的に接続された前記端子金具を収容させるハウジングと、
を備え、
前記ハウジングは、前記相手方コネクタとの間のコネクタ挿抜方向に対する直交方向に沿って互いに組み付けられる第１ハウジングと第２ハウジングとを備え、かつ、前記端子金具を収容完了位置に収容させる端子収容室を前記端子金具毎に有し、
前記ハウジングは、前記端子収容室として、前記第１ハウジングに設けられ、前記コネクタ挿抜方向と前記第１ハウジング及び前記第２ハウジングの組付け方向とに対する直交方向に沿って配列された複数の第１端子収容室と、前記組付け方向における前記第１端子収容室よりも前記第２ハウジング側で組付け完了状態の前記第１ハウジングと前記第２ハウジングとによって形成され、前記コネクタ挿抜方向と前記組付け方向とに対する直交方向に沿って配列された複数の第２端子収容室と、を有し、
前記第１端子収容室は、前記コネクタ挿抜方向における一端の開口であり、接続状態の前記端子金具及び前記電線の端末を室内の前記収容完了位置まで収容させる際に用いる第１端子収容口を有し、
前記第２端子収容室は、前記第１ハウジングに設けられた収容室本体を有し、前記第１ハウジングと前記第２ハウジングとが組付け完了状態のときに、前記収容室本体における前記第２ハウジング側の開口を前記第２ハウジングの閉塞体で塞いで形成され、
前記収容室本体は、前記第２ハウジング側の前記開口であり、接続状態の前記端子金具及び前記電線の端末を室内の前記収容完了位置まで収容させる際に用いる第２端子収容口を有することを特徴としたコネクタ付き電線。
【発明の詳細な説明】
【技術分野】
【０００１】
本発明は、コネクタ及びコネクタ付き電線に関する。
【背景技術】
【０００２】
従来、コネクタ及びコネクタ付き電線においては、電線の端末に対して端子金具が物理的且つ電気的に接続された後、その端子金具がハウジングの端子収容口から端子収容室に収容される。そのハウジングにおいては、端子金具毎の複数の端子収容室が形成されており、それぞれの端子収容室に対して、コネクタ挿抜方向における一端の端子収容口から接続状態の端子金具及び電線の端末が挿入されていく（下記の特許文献１）。このコネクタ及びコネクタ付き電線においては、端子収容室からの端子金具の抜け止めを図るべく、端子係止部で端子金具の被係止部を係止させる端子係止部品（所謂リテーナ）が設けられている。その端子係止部品は、ハウジングに組み付ける別部品であり、押し動かされながらハウジングに対して相対移動させ、これに伴い端子収容室に差し入れられた端子係止部で端子金具の被係止部を係止させる。また、コネクタ及びコネクタ付き電線においては、ハウジングの外方に引き出された２本の電線を撚り対線として撚ったものが知られている（下記の特許文献２）。
【先行技術文献】
【特許文献】
【０００３】
【特許文献１】特開平１１−３５４１８５号公報
【特許文献２】特開２００３−２１７３５８号公報
【発明の概要】
【発明が解決しようとする課題】
【０００４】
ところで、従来のコネクタにおいては、その小型化を図るための手法の１つとして、複数の端子収容室を密集させることがある。しかしながら、このコネクタにおいては、それぞれの端子収容室を互いに近づけるほど、小型化が図れる反面、接続状態の端子金具及び電線の端末の端子収容室への挿入作業が難しくなる。このように、従来のコネクタは、組付け作業性という観点で改善の余地がある。
【０００５】
そこで、本発明は、組付け作業性の向上を図り得るコネクタ及びコネクタ付き電線を提供することを、その目的とする。
【課題を解決するための手段】
【０００６】
上記目的を達成する為、本発明に係るコネクタは、相手方コネクタの相手方端子金具に対して物理的且つ電気的に接続される端子金具と、電線の端末に対して物理的且つ電気的に接続された前記端子金具を収容させるハウジングと、を備え、前記ハウジングは、前記相手方コネクタとの間のコネクタ挿抜方向に対する直交方向に沿って互いに組み付けられる第１ハウジングと第２ハウジングとを備え、かつ、前記端子金具を収容完了位置に収容させる端子収容室を前記端子金具毎に有し、前記ハウジングは、前記端子収容室として、前記第１ハウジングに設けられ、前記コネクタ挿抜方向と前記第１ハウジング及び前記第２ハウジングの組付け方向とに対する直交方向に沿って配列された複数の第１端子収容室と、前記組付け方向における前記第１端子収容室よりも前記第２ハウジング側で組付け完了状態の前記第１ハウジングと前記第２ハウジングとによって形成され、前記コネクタ挿抜方向と前記組付け方向とに対する直交方向に沿って配列された複数の第２端子収容室と、を有し、前記第１端子収容室は、前記コネクタ挿抜方向における一端の開口であり、接続状態の前記端子金具及び前記電線の端末を室内の前記収容完了位置まで収容させる際に用いる第１端子収容口を有し、前記第２端子収容室は、前記第１ハウジングに設けられた収容室本体を有し、前記第１ハウジングと前記第２ハウジングとが組付け完了状態のときに、前記収容室本体における前記第２ハウジング側の開口を前記第２ハウジングの閉塞体で塞いで形成され、前記収容室本体は、前記第２ハウジング側の前記開口であり、接続状態の前記端子金具及び前記電線の端末を室内の前記収容完了位置まで収容させる際に用いる第２端子収容口を有することを特徴としている。
【０００７】
ここで、前記第１端子収容室は、前記コネクタ挿抜方向における他端の開口であり、前記相手方端子金具を室内に挿入させる際に用いる第１端子挿入口と、室内の前記収容完了位置で前記第１ハウジングに対する前記端子金具の前記第１端子収容口側への相対移動を係止させる第１係止部と、を有し、前記収容室本体は、前記コネクタ挿抜方向における一端の開口であり、前記電線を室内から室外に引き出させる電線引出口と、前記コネクタ挿抜方向における他端の開口であり、前記相手方端子金具を室内に挿入させる際に用いる第２端子挿入口と、室内の前記収容完了位置で前記第１ハウジングに対する前記端子金具の前記第２端子収容口側への相対移動を係止させる第２係止部と、を有し、前記閉塞体には、前記第１ハウジングと前記第２ハウジングとが組付け完了状態のときに、前記収容室本体の室内の前記収容完了位置で前記第１ハウジングに対する前記端子金具の前記電線引出口側への相対移動を係止させる第３係止部を設けることが望ましい。
【０００８】
また、前記第１ハウジングに対して相対移動自在に組み付けられる別部品であり、前記第１端子収容室の前記収容完了位置での前記端子金具の係止が不能な非係止位置と前記第１端子収容室の前記収容完了位置での前記端子金具の係止が可能な係止位置との間での前記第１ハウジングに対する前記組付け方向に沿った相対移動が可能な端子係止部品を備え、前記端子係止部品は、前記係止位置のときに、前記第１端子収容室における前記収容完了位置の前記端子金具の前記第１端子収容口側に配置され、前記第１ハウジングに対する前記端子金具の前記第１端子収容口側への相対移動を係止させる第１端子係止部を有し、前記第２ハウジングは、前記第１ハウジングに対する組付け完了状態のときに、前記第２端子収容室における前記収容完了位置の前記端子金具の前記電線引出口側に配置され、前記第１ハウジングに対する前記端子金具の前記電線引出口側への相対移動を係止させる第２端子係止部を有することが望ましい。
【０００９】
また、前記第２ハウジングは、前記第１ハウジングへの組付け動作に連動して前記端子係止部品を前記非係止位置から前記係止位置へと押し動かす押動部を有することが望ましい。
【００１０】
また、前記第１ハウジングと前記端子係止部品との間には、前記端子係止部品を前記非係止位置で前記第１ハウジングに仮保持させる仮保持機構を設けることが望ましい。
【００１１】
また、上記目的を達成する為、本発明に係るコネクタ付き電線は、電線と、相手方コネクタの相手方端子金具に対して物理的且つ電気的に接続される端子金具と、前記電線の端末に対して物理的且つ電気的に接続された前記端子金具を収容させるハウジングと、を備え、前記ハウジングは、前記相手方コネクタとの間のコネクタ挿抜方向に対する直交方向に沿って互いに組み付けられる第１ハウジングと第２ハウジングとを備え、かつ、前記端子金具を収容完了位置に収容させる端子収容室を前記端子金具毎に有し、前記ハウジングは、前記端子収容室として、前記第１ハウジングに設けられ、前記コネクタ挿抜方向と前記第１ハウジング及び前記第２ハウジングの組付け方向とに対する直交方向に沿って配列された複数の第１端子収容室と、前記組付け方向における前記第１端子収容室よりも前記第２ハウジング側で組付け完了状態の前記第１ハウジングと前記第２ハウジングとによって形成され、前記コネクタ挿抜方向と前記組付け方向とに対する直交方向に沿って配列された複数の第２端子収容室と、を有し、前記第１端子収容室は、前記コネクタ挿抜方向における一端の開口であり、接続状態の前記端子金具及び前記電線の端末を室内の前記収容完了位置まで収容させる際に用いる第１端子収容口を有し、前記第２端子収容室は、前記第１ハウジングに設けられた収容室本体を有し、前記第１ハウジングと前記第２ハウジングとが組付け完了状態のときに、前記収容室本体における前記第２ハウジング側の開口を前記第２ハウジングの閉塞体で塞いで形成され、前記収容室本体は、前記第２ハウジング側の前記開口であり、接続状態の前記端子金具及び前記電線の端末を室内の前記収容完了位置まで収容させる際に用いる第２端子収容口を有することを特徴としている。
【発明の効果】
【００１２】
本発明に係るコネクタ及びコネクタ付き電線においては、第１端子収容口から第１端子収容室に端子金具を収容させた後、その端子金具の挿入方向に対する交差方向に沿って、残りの端子金具を第２端子収容口から第２端子収容室に収容させる。よって、このコネクタ及びコネクタ付き電線は、それぞれの第１端子収容室とそれぞれの第２端子収容室とを密集させたとしても、端子金具及び電線の端末の挿入作業性に優れたものとなっている。従って、このコネクタ及びコネクタ付き電線は、コネクタの小型化を図りつつ、組付け作業性を向上させることができる。
【図面の簡単な説明】
【００１３】
【図１】図１は、実施形態のコネクタ及びコネクタ付き電線を示す分解斜視図である。
【図２】図２は、実施形態のコネクタ及びコネクタ付き電線を示す図であり、第１ハウジングと第２ハウジングの組付け前の状態を示す分解斜視図である。
【図３】図３は、実施形態のコネクタ及びコネクタ付き電線を示す図であり、第１ハウジングと第２ハウジングの組付け前の状態を別角度から見た分解斜視図である。
【図４】図４は、実施形態のコネクタ及びコネクタ付き電線を示す図であり、第１ハウジングと第２ハウジングの組付け前の状態を別角度から見た分解斜視図である。
【図５】図５は、実施形態のコネクタ及びコネクタ付き電線を示す図であり、第１ハウジングと第２ハウジングの組付け前の状態を別角度から見た分解斜視図である。
【図６】図６は、実施形態のコネクタ及びコネクタ付き電線を示す斜視図である。
【図７】図７は、実施形態のコネクタ及びコネクタ付き電線を別角度から見た斜視図である。
【図８】図８は、第１ハウジングと端子係止部品とを示す分解斜視図である。
【図９】図９は、第１ハウジングと端子係止部品とを別角度から見た分解斜視図である。
【図１０】図１０は、第１ハウジングと端子係止部品とを別角度から見た分解斜視図である。
【図１１】図１１は、第１ハウジングと端子係止部品とを別角度から見た分解斜視図である。
【図１２】図１２は、第１ハウジングに対する端子係止部品の仮保持状態を示す斜視図である。
【図１３】図１３は、図１２のＸ−Ｘ線断面図であり、第１端子収容室と第２端子収容室に対する端子金具の挿入前の状態を説明する図である。
【図１４】図１４は、図１２のＸ−Ｘ線断面図であり、第１端子収容室に対する端子金具の収容完了後の状態を説明する図である。
【図１５】図１５は、図２のＸ−Ｘ線断面図であり、第１端子収容室と第２端子収容室に対する端子金具の収容完了後の状態を説明する図である。
【図１６】図１６は、図６のＸ−Ｘ線断面図である。
【図１７】図１７は、第２係止部について説明する第１ハウジング及び端子係止部品の下面図である。
【発明を実施するための形態】
【００１４】
以下に、本発明に係るコネクタ及びコネクタ付き電線の実施形態を図面に基づいて詳細に説明する。尚、この実施形態によりこの発明が限定されるものではない。
【００１５】
［実施形態］
本発明に係るコネクタ及びコネクタ付き電線の実施形態の１つを図１から図１７に基づいて説明する。
【００１６】
図１から図７の符号１は、本実施形態のコネクタを示す。また、図１から図７の符号２は、電線Ｗｅの端末にコネクタ１が取り付けられた本実施形態のコネクタ付き電線を示す。
【００１７】
コネクタ１は、端子金具１０とハウジング２０を備える（図１、図３及び図５）。コネクタ付き電線２は、そのコネクタ１を成す端子金具１０とハウジング２０の他に電線Ｗｅを備えるものであり、電線Ｗｅの端末に対して物理的且つ電気的に接続された端子金具１０がハウジング２０に収容され且つ保持されている。
【００１８】
端子金具１０は、金属等の導電性材料で成形される。この端子金具１０は、相手方コネクタの相手方端子金具（図示略）に対して物理的且つ電気的に接続される端子接続部１１と、電線Ｗｅの端末に対して物理的且つ電気的に接続される電線接続部１２と、を有する（図１）。
【００１９】
端子接続部１１と相手方端子金具の相手方端子接続部（図示略）は、その内の一方が雌端子形状に形成され、その内の他方が雄端子形状に形成される。この例示では、端子接続部１１が角筒状の雌端子形状に形成され、相手方端子接続部が端子接続部１１の内方に嵌入される雄端子形状に形成されている。端子接続部１１においては、その筒軸方向における一端の開口から筒軸方向に沿って相手方端子接続部が挿入される。よって、ここでは、その端子接続部１１の筒軸方向が、端子接続部１１と相手方端子接続部との間の端子挿抜方向となり、かつ、コネクタ１と相手方コネクタとの間のコネクタ挿抜方向となる。
【００２０】
電線接続部１２は、端子接続部１１における筒軸方向の他端側に配置され、物理的且つ電気的に接続している電線Ｗｅを筒軸方向に沿って引き出させる。例えば、この電線接続部１２は、電線Ｗｅの端末の芯線Ｗｅ１（図１）に対して加締め圧着させることによって、この電線Ｗｅの端末に対して物理的且つ電気的に接続される。
【００２１】
ハウジング２０は、合成樹脂等の絶縁性材料で成形される。このハウジング２０は、電線Ｗｅの端末に対して物理的且つ電気的に接続された端子金具１０を収容させるものである。このハウジング２０は、相手方コネクタとの間のコネクタ挿抜方向に対する直交方向に沿って互いに組み付けられる第１ハウジング３０と第２ハウジング４０とを備える（図１から図７）。そして、このハウジング２０は、端子金具１０を収容完了位置に収容させる端子収容室を端子金具１０毎に有する。このハウジング２０は、その端子収容室として、第１ハウジング３０に設けられ、コネクタ挿抜方向と第１ハウジング３０及び第２ハウジング４０の組付け方向（以下、「ハウジング間の組付け方向」という。）とに対する直交方向に沿って配列された複数の第１端子収容室２１と、ハウジング間の組付け方向における第１端子収容室２１よりも第２ハウジング４０側で組付け完了状態の第１ハウジング３０と第２ハウジング４０とによって形成され、コネクタ挿抜方向とハウジング間の組付け方向とに対する直交方向に沿って配列された複数の第２端子収容室２２と、を有している（図１から図１６）。この例示のハウジング２０においては、ハウジング間の組付け方向に沿って一対の第１端子収容室２１と第２端子収容室２２とが配列され、かつ、その第１端子収容室２１と第２端子収容室２２の組み合わせがコネクタ挿抜方向とハウジング間の組付け方向とに対する直交方向に沿って４組並べられている。
【００２２】
第１端子収容室２１は、コネクタ挿抜方向における一端の開口であり、接続状態の端子金具１０及び電線Ｗｅの端末を室内の収容完了位置まで収容させる際に用いる第１端子収容口２１ａを有する（図１から図３、図６から図９及び図１２から図１６）。接続状態の端子金具１０及び電線Ｗｅの端末は、その第１端子収容口２１ａから挿入して、第１端子収容室２１の収容完了位置に収容させる。その第１端子収容口２１ａは、端末が端子金具１０の電線接続部１２に物理的且つ電気的に接続された電線Ｗｅを第１端子収容室２１の外に引き出させる電線引出口としても利用される。
【００２３】
更に、第１端子収容室２１は、コネクタ挿抜方向における他端の開口であり、室内の端子金具１０の接続対象となる相手方端子金具を室内に挿入させる際に用いる第１端子挿入口２１ｂを有する（図４、図５、図１０、図１１及び図１３から図１６）。この第１端子収容室２１においては、その第１端子挿入口２１ｂから相手方端子金具の相手方端子接続部が挿入され、その相手方端子接続部が収容完了位置の端子金具１０の端子接続部１１に嵌合接続される。
【００２４】
また更に、第１端子収容室２１は、室内の収容完了位置で第１ハウジング３０に対する端子金具１０の第１端子収容口２１ａ側への相対移動を係止させる第１係止部２１ｃを有する（図１３から図１６）。例えば、この第１ハウジング３０においては、第１端子収容室２１の室内に自由端側を突出させた可撓性を持つ片持ちの可撓部２１ｄと、この可撓部２１ｄの自由端側から突出させた第１係止部２１ｃと、を有する所謂ランスが設けられている（図１３から図１６）。一方、端子金具１０には、その第１係止部２１ｃに係止させる第１被係止部１３が設けられている（図１３から図１６）。その第１被係止部１３は、端子接続部１１から外方に突出させた片部である。第１端子収容室２１においては、端子金具１０が第１端子収容口２１ａから挿入されてきた際に、第１被係止部１３によって可撓部２１ｄが弾性変形させられ、端子金具１０が収容完了位置まで挿入させられたときに、第１被係止部１３が第１係止部２１ｃを乗り越えて、可撓部２１ｄの弾性変形が解消される。これにより、この第１端子収容室２１においては、第１被係止部１３よりも第１端子収容口２１ａ側で、かつ、室内の収容完了位置で第１ハウジング３０に対する端子金具１０の第１端子収容口２１ａ側への相対移動を係止させる位置に、第１係止部２１ｃが対向配置される。
【００２５】
第２端子収容室２２は、第１ハウジング３０に設けられた収容室本体２２Ａを有する（図１から図１６）。その収容室本体２２Ａは、第２端子収容室２２の主体となる空間であり、端子金具１０が挿入され且つ収容される。
【００２６】
この収容室本体２２Ａは、ハウジング間の組付け方向における第２ハウジング４０側に開口２２ａを有する（図１から図３、図５、図８、図９及び図１１から図１６）。その第２ハウジング４０側の開口２２ａは、接続状態の端子金具１０及び電線Ｗｅの端末を収容室本体２２Ａの室内の収容完了位置まで収容させる際に用いる第２端子収容口２２ａとして利用される。
【００２７】
更に、収容室本体２２Ａは、コネクタ挿抜方向における一端の開口であり、電線Ｗｅを室内から室外に引き出させる電線引出口２２ｂを有する（図３、図６から図９及び図１１から図１６）。その電線引出口２２ｂは、第２端子収容口２２ａに連接させる。
【００２８】
また更に、収容室本体２２Ａは、コネクタ挿抜方向における他端の開口であり、室内の端子金具１０の接続対象となる相手方端子金具を室内に挿入させる際に用いる第２端子挿入口２２ｃを有する（図４、図５、図１０、図１１及び図１３から図１６）。
【００２９】
また更に、収容室本体２２Ａは、室内の収容完了位置で第１ハウジング３０に対する端子金具１０の第２端子収容口２２ａ側への相対移動を係止させる第２係止部２２ｄを有する（図９、図１１、図１３から図１５及び図１７）。例えば、この第１ハウジング３０においては、端子金具１０における端子接続部１１の側面（収容室本体２２Ａの配列方向に対する直交平面）を挟み込む２つの可撓片部２２ｅが設けられている（図９、図１１、図１３及び図１４）。それぞれの可撓片部２２ｅは、可撓性を持つ片持ちの片体状に形成されている。それぞれの可撓片部２２ｅの自由端側は、収容室本体２２Ａの収容完了位置に収容されている端子金具１０の端子接続部１１よりも第２端子収容口２２ａ側に配置させる。第２係止部２２ｄは、それぞれの可撓片部２２ｅの自由端側に、互いに向かい合わせた突出状態の爪部として設ける。端子金具１０の端子接続部１１においては、第２端子収容口２２ａ側の２つの隅部を各々第２被係止部１４（図１、図１３から図１５及び図１７）とし、それぞれの第２被係止部１４がそれぞれの第２係止部２２ｄによって第２端子収容口２２ａ側から係止される。
【００３０】
第１ハウジング３０は、複数の第１端子収容室２１と複数の収容室本体２２Ａとが形成されたハウジング主体３１を有する（図１から図１２）。そのハウジング主体３１は、方体状に形成されている。このハウジング主体３１には、第２ハウジング４０側に、それぞれの収容室本体２２Ａの第２端子収容口２２ａが形成されている。それぞれの第２端子収容口２２ａは、第１ハウジング３０に組み付けられた第２ハウジング４０によって塞ぐ。そこで、第２ハウジング４０には、第１ハウジング３０に組み付けられた状態で、それぞれの第２端子収容口２２ａを塞ぐ閉塞体４１を設けている（図１から図７、図１５及び図１６）。この例示の閉塞体４１は、矩形の平板状に形成されている。第２端子収容室２２は、第１ハウジング３０と第２ハウジング４０とが組付け完了状態のときに、収容室本体２２Ａにおける第２ハウジング４０側の開口（第２端子収容口）２２ａを第２ハウジング４０の閉塞体４１で塞いで形成される。
【００３１】
その閉塞体４１には、第１ハウジング３０と第２ハウジング４０とが組付け完了状態のときに、収容室本体２２Ａの室内の収容完了位置で第１ハウジング３０に対する端子金具１０の電線引出口２２ｂ側への相対移動を係止させる第３係止部４２ａを設ける（図１、２、図４、図１５及び図１６）。その第３係止部４２ａは、端子金具１０の第１被係止部１３を係止させるものとして第２端子収容室２２（収容室本体２２Ａ）毎に設けている。例えば、第２ハウジング４０においては、閉塞体４１側を固定端とし、かつ、収容室本体２２Ａの室内に自由端側を突出させた可撓性を持つ片持ちの可撓部４２ｂと、この可撓部４２ｂの自由端側から突出させた第３係止部４２ａと、を有する所謂ランスが設けられている（図１、２、図４、図１５及び図１６）。このハウジング２０においては、第１ハウジング３０と第２ハウジング４０とが組付け完了状態となったときに、第１被係止部１３よりも電線引出口２２ｂ側で、かつ、室内の収容完了位置で第１ハウジング３０に対する端子金具１０の電線引出口２２ｂ側への相対移動を係止させる位置に、第３係止部４２ａが対向配置される。
【００３２】
第１ハウジング３０と第２ハウジング４０との間には、互いの組付け完了状態を保たせるための保持機構２３が設けられている（図１から図５）。その保持機構２３は、第１ハウジング３０に設けた第１係合部２３ａと、第２ハウジング４０に設けた第２係合部２３ｂと、を備える（図１から図５）。この保持機構２３は、第１ハウジング３０と第２ハウジング４０の脱離方向で第１係合部２３ａと第２係合部２３ｂとを互いに係止させることによって、第１ハウジング３０と第２ハウジング４０の組付け完了状態を保持させる。この例示の保持機構２３は、爪部としての第１係合部２３ａを第２係合部２３ｂに引っ掛けることによって、その第１係合部２３ａと第２係合部２３ｂとを互いに係止させる。この例示の第１ハウジング３０と第２ハウジング４０との間には、その保持機構２３が４箇所に設けられている。
【００３３】
ところで、本実施形態のコネクタ１は、第１ハウジング３０に対して相対移動自在に組み付けられる別部品であり、非係止位置と係止位置との間での第１ハウジング３０に対するハウジング間の組付け方向に沿った相対移動が可能な端子係止部品５０を備える（図１から図１６）。その端子係止部品５０は、第１ハウジング３０に対する第１端子収容室２１の収容完了位置の端子金具１０の相対移動を係止して、その端子金具１０を第１端子収容室２１の収容完了位置で保持させる所謂リテーナである。非係止位置とは、第１ハウジング３０に対する端子係止部品５０の相対的な位置の内、その端子係止部品５０による第１端子収容室２１の収容完了位置での端子金具１０の係止が不能になっている位置のことである。一方、係止位置とは、第１ハウジング３０に対する端子係止部品５０の相対的な位置の内、その端子係止部品５０による第１端子収容室２１の収容完了位置での端子金具１０の係止が可能になっている位置のことである。
【００３４】
端子係止部品５０は、係止位置のときに、第１端子収容室２１における収容完了位置の端子金具１０の第１端子収容口２１ａ側に配置され、第１ハウジング３０に対する端子金具１０の第１端子収容口２１ａ側への相対移動を係止させる第１端子係止部５１を有する。この端子係止部品５０には、第１端子収容室２１毎の第１端子係止部５１を有する端子係止体５２が設けられている（図８から図１１）。端子金具１０は、その第１端子係止部５１に係止させる第３被係止部１５を有している（図１及び図１３から図１６）。第１端子収容室２１においては、端子係止部品５０が非係止位置のときに、室内に第１端子係止部５１を入り込ませないので、端子金具１０を第１端子収容口２１ａから室内の収容完了位置まで挿入させることができ、かつ、その収容完了位置の端子金具１０を第１端子収容口２１ａから引き抜くことができる。また、この第１端子収容室２１においては、端子係止部品５０が係止位置のときに、室内に第１端子係止部５１を入り込ませ、この第１端子係止部５１を第３被係止部１５の第１端子収容口２１ａ側に対向配置させるので、収容完了位置の端子金具１０を第１端子収容口２１ａから引き抜くことができない。
【００３５】
この端子係止部品５０は、非係止位置であるのか係止位置であるのかに拘わらず、端子金具１０を第２端子収容口２２ａから第２端子収容室２２の収容完了位置まで挿入させることができ、かつ、その収容完了位置の端子金具１０を第２端子収容口２２ａから引き抜くことができるものとして形成する。
【００３６】
一方、第２端子収容室２２においては、第２ハウジング４０を利用して、第１ハウジング３０に対する収容完了位置の端子金具１０の相対移動を係止し、その端子金具１０を収容完了位置で保持させる。そこで、第２ハウジング４０は、第１ハウジング３０に対する組付け完了状態のときに、第２端子収容室２２における収容完了位置の端子金具１０の電線引出口２２ｂ側に配置され、第１ハウジング３０に対する端子金具１０の電線引出口２２ｂ側への相対移動を係止させる第２端子係止部４３ａを有している（図１５及び図１６）。この第２ハウジング４０には、第２端子収容室２２毎の第２端子係止部４３ａを有する方体状の端子係止体４３が設けられている。その端子係止体４３は、閉塞体４１に突出状態で設けられている。第２端子収容室２２においては、第１ハウジング３０と第２ハウジング４０とが組付け完了状態のときに、第２端子収容室２２の収容完了位置の端子金具１０を電線引出口２２ｂから引き抜くことができない。
【００３７】
ここで、第１ハウジング３０は、端子係止部品５０を相対移動方向に沿って案内するガイド体３２を有する（図１から図１２）。そして、端子係止部品５０は、第１ハウジング３０に対する相対移動方向に沿ってガイド体３２に案内される被ガイド体５３を有する（（図１から図１２）。ガイド体３２は、コネクタ挿抜方向と端子係止部品５０の相対移動方向とに対する直交方向で、ハウジング主体３１の両端に設ける。被ガイド体５３は、コネクタ挿抜方向と端子係止部品５０の相対移動方向とに対する直交方向で、端子係止体５２の両端に設ける。
【００３８】
この例示のガイド体３２と被ガイド体５３は、各々がコネクタ挿抜方向と端子係止部品５０の相対移動方向とに沿う平面を有する平板状で、かつ、被ガイド体５３がガイド体３２の溝部３２ａに嵌め込まれるものとして形成されている（図８から図１２）。ガイド体３２においては、その溝部３２ａの周壁に、端子係止部品５０の相対移動方向に沿うガイド部３２ｂが設けられている（図８から図１２）。そのガイド部３２ｂは、コネクタ挿抜方向で２箇所に設けられている。一方、被ガイド体５３においては、外周壁に、端子係止部品５０の相対移動方向に沿う被ガイド部５３ａが設けられている（図８から図１２）。その被ガイド部５３ａとしては、一方のガイド部３２ｂに対向配置され且つ案内されるものと、他方のガイド部３２ｂに対向配置され且つ案内されるものと、が設けられている。
【００３９】
第１ハウジング３０と端子係止部品５０との間には、その端子係止部品５０を非係止位置で第１ハウジング３０に仮保持させる仮保持機構２４を設けている（図８から図１２）。その仮保持機構２４は、第１ハウジング３０に設けた第１係合部２４ａと、端子係止部品５０に設けた第２係合部２４ｂと、を備える（図８から図１１）。この仮保持機構２４は、端子係止部品５０が非係止位置のときに、第２係合部２４ｂを第１係合部２４ａよりも係止位置側に配置させ、その第１係合部２４ａと第２係合部２４ｂとを互いに係止させることによって、端子係止部品５０を非係止位置で第１ハウジング３０に仮保持させる。
【００４０】
この例示の第１係合部２４ａは、コネクタ挿抜方向と端子係止部品５０の相対移動方向とに対する直交方向で、ハウジング主体３１の両端に設ける。また、この例示の第２係合部２４ｂは、コネクタ挿抜方向と端子係止部品５０の相対移動方向とに対する直交方向で、端子係止体５２の両端に設ける。ここで示す第１係合部２４ａは、それぞれのガイド体３２の溝部３２ａにて、ハウジング主体３１から突出させた爪部として形成されている。また、ここで示す第２係合部２４ｂは、被ガイド体５３から突出させた爪部として形成されている。
【００４１】
更に、この仮保持機構２４は、非係止位置の端子係止部品５０を係止位置側へと第１ハウジング３０に対して相対移動させぬ係止部２４ｃを備える（図８から図１２）。その係止部２４ｃは、端子係止部品５０が非係止位置のときに、第２係合部２４ｂよりも係止位置側に配置させる。この係止部２４ｃは、非係止位置の端子係止部品５０が係止位置側へと相対移動しようとしたときに、第２係合部２４ｂを引っ掛けることによって、その端子係止部品５０の係止位置側への相対移動を抑制する。一方、この係止部２４ｃは、非係止位置の端子係止部品５０を係止位置側へと相対移動させるときに邪魔になる。そこで、ここでは、被ガイド体５３に可撓性を持たせる。そして、ここでは、非係止位置側から係止位置側への所定以上の力で第２係合部２４ｂが係止部２４ｃを乗り越えることができるように、第２係合部２４ｂと係止部２４ｃを形成する。例えば、その第２係合部２４ｂと係止部２４ｃは、互いに傾斜面同士を当接させ、係止部２４ｃの傾斜面からの押圧力で第２係合部２４ｂを介して被ガイド体５３を弾性変形させながら、第２係合部２４ｂが係止部２４ｃを乗り越えることができるように形成される。
【００４２】
本実施形態のコネクタ１は、その所定以上の力を発生させる押動部４４を備えている（図１から図６）。その押動部４４は、第２ハウジング４０に設ける。この押動部４４は、第２ハウジング４０の第１ハウジング３０への組付け動作に連動して、端子係止部品５０を非係止位置から係止位置へと押し動かすものである。この例示の押動部４４は、非係止位置の被ガイド体５３を係止位置側へと押し動かすことが可能なものとして形成している。この押動部４４は、被ガイド体５３毎に設けている。
【００４３】
本実施形態のコネクタ１及びコネクタ付き電線２は、撚り対線（所謂ツイストペアケーブル）と撚り対線のそれぞれの一端に接続された端子金具１０の組み合わせが複数組設けられたものであってもよい。このコネクタ１及びコネクタ付き電線２においては、撚り対線を成す一方の電線Ｗｅの端末の端子金具１０を第１端子収容室２１に収容させ、その撚り対線を成す他方の電線Ｗｅの端末の端子金具１０を第２端子収容室２２に収容させる（図１３から図１６）。
【００４４】
例えば、このコネクタ１及びコネクタ付き電線２においては、撚り対線を成す一方の電線Ｗｅの端末の端子金具１０を第１端子収容口２１ａから第１端子収容室２１に収容させる（図１４）。そして、このコネクタ１及びコネクタ付き電線２においては、撚り対線を成す他方の電線Ｗｅの端末の端子金具１０を第２端子収容口２２ａから第２端子収容室２２に収容させる（図１５）。このコネクタ１及びコネクタ付き電線２においては、収容対象となる全ての端子金具１０を第１端子収容室２１に収容させた後、残りの端子金具１０を第２端子収容室２２に収容させる。しかる後、このコネクタ１及びコネクタ付き電線２においては、第１ハウジング３０に第２ハウジング４０を組み付ける（図１５）。このコネクタ１及びコネクタ付き電線２においては、その第１ハウジング３０と第２ハウジング４０の組付け動作に連動して、第２ハウジング４０の押動部４４で非係止位置の端子係止部品５０を係止位置まで押し動かされる。
【００４５】
以上示したように、本実施形態のコネクタ１及びコネクタ付き電線２においては、第１端子収容口２１ａから第１端子収容室２１に端子金具１０を収容させた後、その端子金具１０の挿入方向に対する交差方向に沿って、電線引出口２２ｂ側と第２端子挿入口２２ｃ側との間に亘って口を開けている第２端子収容口２２ａから残りの端子金具１０を第２端子収容室２２に収容させる。よって、このコネクタ１及びコネクタ付き電線２は、それぞれの第１端子収容室２１とそれぞれの第２端子収容室２２とを密集させたとしても、端子金具１０及び電線Ｗｅの端末の挿入作業性に優れたものとなっている。従って、このコネクタ１及びコネクタ付き電線２は、コネクタの小型化を図りつつ、組付け作業性を向上させることができる。
【００４６】
更に、本実施形態のコネクタ１及びコネクタ付き電線２においては、第１ハウジング３０と第２ハウジング４０の組付け動作に連動して、端子係止部品５０を非係止位置から係止位置まで押し動かすことができる。従って、従来であれば、コネクタの小型化に伴って端子係止部品の押動作業が難しくなるが、このコネクタ１及びコネクタ付き電線２は、端子係止部品５０の押動作業性に優れたものとなっている。従って、このコネクタ１及びコネクタ付き電線２は、この点からも、コネクタの小型化を図りつつ、組付け作業性を向上させることができる。
【符号の説明】
【００４７】
１  コネクタ
２  コネクタ付き電線
１０  端子金具
２０  ハウジング
２１  第１端子収容室
２１ａ  第１端子収容口
２１ｂ  第１端子挿入口
２１ｃ  第１係止部
２２  第２端子収容室
２２Ａ  収容室本体
２２ａ  第２端子収容口（第２ハウジング側の開口）
２２ｂ  電線引出口
２２ｃ  第２端子挿入口
２２ｄ  第２係止部
２４  仮保持機構
３０  第１ハウジング
４０  第２ハウジング
４１  …閉塞体
４２ａ  第３係止部
４３ａ  第２端子係止部
４４  押動部
５０  端子係止部品
５１  第１端子係止部
Ｗｅ  電線
【図１】
2020202031.tif 000003
【図２】
2020202031.tif 000004
【図３】
2020202031.tif 000005
【図４】
2020202031.tif 000006
【図５】
2020202031.tif 000007
【図６】
2020202031.tif 000008
【図７】
2020202031.tif 000009
【図８】
2020202031.tif 000010
【図９】
2020202031.tif 000011
【図１０】
2020202031.tif 000012
【図１１】
2020202031.tif 000013
【図１２】
2020202031.tif 000014
【図１３】
2020202031.tif 000015
【図１４】
2020202031.tif 000016
【図１５】
2020202031.tif 000017
【図１６】
2020202031.tif 000018
【図１７】
2020202031.tif 000019